(57)【要約】【課題】水などがこぼれた場合であっても使用することができる電気式マットを提供すること。【解決手段】電源部から電力が供給される電気式マットであって、利用者の下に敷かれる本体部２と、前記本体部２の中に設けられた電極部１１と、前記電極部１１と前記本体部２の外方に配された前記電源部とを接続する電線部１４ａ，１４ｂと、前記電極部１１を覆う絶縁カバー１０と、前記電線部１４ａ，１４ｂを覆う絶縁チューブ１５とを備え、前記絶縁チューブ１５が、前記絶縁カバー１０に水密に連結されて、前記本体部２の外方に延ばされていることを特徴とする。【選択図】図２
2009131516.tif 000002
【特許請求の範囲】
【請求項１】
電源部から電力が供給される電気式マットであって、
利用者の下に敷かれる本体部と、
前記本体部の中に設けられた電極部と、
前記電極部と前記本体部の外方に配された前記電源部とを接続する電線部と、
前記本体部の中に設けられて、前記電極部を覆う絶縁カバーと、
前記電線部を覆う絶縁チューブとを備え、
前記絶縁チューブが、
前記絶縁カバーに水密に連結されていることを特徴とする電気式マット。
【請求項２】
前記絶縁チューブが、前記絶縁カバーと一体的に形成されていることを特徴とする請求項１に記載の電気式マット。
【請求項３】
前記電線部の端部に、前記電源部に接続するための接続部が設けられ、
前記絶縁チューブが、前記絶縁カバーと一体的に形成されて、前記接続部まで延ばされていることを特徴とする請求項１に記載の電気式マット。
【発明の詳細な説明】
【技術分野】
【０００１】
本発明は、電力が供給される電気式マットに関する。
【背景技術】
【０００２】
近年、電力が供給されることにより、利用者に温熱効果や電位効果を与える種々の電気式マットが利用されている（例えば、特許文献１参照。）。
この電気式マットとしては、シート状の本体部と、この本体部に設けられた電極とを備えるものが一般的である。
そして、電極から延びるケーブルを電源部に接続して、電源部から電極に電力を供給することにより、電極から電磁界や熱が発生し、これら電磁界や熱が利用者に伝達される。
【特許文献１】特開２００６−２９６６６８号公報
【発明の開示】
【発明が解決しようとする課題】
【０００３】
しかしながら、上記のような電気式マットでは、水などが本体部やケーブルにかかってしまったときに、その水がケーブル内まで浸入してしまうという問題がある。
【０００４】
本発明は、このような事情に鑑みてなされたものであって、水などがこぼれた場合であっても使用することができる電気式マットを提供することを目的とする。
【課題を解決するための手段】
【０００５】
上記課題を解決するために、本発明は以下の手段を提供する。
本発明は、電源部から電力が供給される電気式マットであって、利用者の下に敷かれる本体部と、前記本体部の中に設けられた電極部と、前記電極部と前記本体部の外方に配された前記電源部とを接続する電線部と、前記本体部の中に設けられて、前記電極部を覆う絶縁カバーと、前記電線部を覆う絶縁チューブとを備え、前記絶縁チューブが、前記絶縁カバーに水密に連結されていることを特徴とする。
【０００６】
この発明によれば、本体部２に液体がこぼれた場合であっても、その液体が電線部に到達することを防止することができる。
【０００７】
また、本発明は、前記絶縁チューブが、前記絶縁カバーと一体的に形成されていることを特徴とする。
【０００８】
この発明によれば、電線部への液体の浸入を確実に防止することができる。
【０００９】
また、本発明は、前記電線部の端部に、前記電源部に接続するための接続部が設けられ、前記絶縁チューブが、前記絶縁カバーと一体的に形成されて、前記接続部まで延ばされていることを特徴とする。
【００１０】
この発明によれば、電線部への液体の浸入を、より確実に防止することができる。
【発明の効果】
【００１１】
本発明によれば、絶縁カバー及び絶縁チューブが設けられていることから、水などがこぼれた場合であっても、その水の浸入を防止することができ、容易に使用し続けることができる。
【発明を実施するための最良の形態】
【００１２】
（実施形態１）
以下、本発明の第１の実施形態における電気式マットについて、図面を参照して説明する。
図１は、電気式マットを電気治療器に適用した例を示したものである。
電気治療器１は、利用者に電磁界をかけて種々の治療を施すものである。
この電気治療器１は、矩形シート状の本体部２と、直方体形状の電源供給装置３とを備えている。
電源供給装置３は、本体部２に電源を供給する電源部４を備えている。電源部４には、電源側電線部（電線部）１４ｂ（図２に示す。）が接続されている。また、電源供給装置３の天面には、各種情報を表示する表示部５が設けられている。表示部５の近傍には、電源供給装置３のオン・オフや供給する電源の大きさ調整などを行うための操作部６が設けられている。
【００１３】
電源供給装置３は、ケーブル７を介して本体部２に接続されている。すなわち、ケーブル７の一端は、この一端に設けられた連結部８を介して本体部２に固定され、ケーブル７の他端は、この他端に設けられたコネクタ（接続部）２０を介して電源供給装置３に着脱可能に接続されている。
また、本体部２は、図２に示すように、袋状に形成されており、その内面の全体にわたって防水シート１３が設けられている。さらに、本体部２の内部には、一対の電極部１１が設けられている。電極部１１は、本体部２の長手方向の両端に配置されている。これら電極部１１は、本体側電線部（電線部）１４ａに並列に接続されている。この本体側電線部１４ａの一端は電極部１１に半田などにより連結されており、他端は、圧着部１７を介して電源側電線部１４ｂに接続されている。これにより、電極部１１は、本体側電線部１４ａ及び電源側電線部１４ｂを介して、電源部４に接続されている。
また、圧着部１７は、絶縁部材３１によって被覆されており、この絶縁部材３１から本体側電線部１４ａにわたって絶縁用のスミチューブ３２が設けられている。
【００１４】
また、電極部１１は、本体部２の中に設けられた矩形状のカバー（絶縁カバー）１０の中に配されている。
カバー１０は、絶縁部材からなり、袋状に形成されている。このカバー１０の口部には、その口部の周方向全長にわたって絶縁部材からなるチューブ１５が水密に連結されている。すなわち、カバー１０とチューブ１５とは、接着剤などを介して所定の圧力がかけられることにより、互いに連結されている。そして、カバー１０とチューブ１５との間は、水密に保持されている。
チューブ１５内には、ケーブル７が挿通しており、ケーブル７の外周面とチューブ１５の内周面との間は、水密に保持されている。なお、チューブ１５は、ケーブル７を覆う絶縁チューブとして機能するものである。
【００１５】
次いで、電気治療器１の作用について説明する。
利用者が、本体部２の上に寝ながら、操作部６を操作して、電源供給装置３をオンする。すると、電源部４からの電源が電源側電線部１４ｂ及び本体側電線部１４ａを介して、電極部１１に供給される。そして、電極部１１に電磁界が発生し、この電磁界が利用者に伝達され、利用者への治療が行われる。なお、利用者が、表示部５に表示される情報を目視しながら、操作部６を操作することにより、電磁界の強弱がリアルタイムに調整され、利用者にマッチした大きさの電磁界が利用者に伝達される。
【００１６】
ここで、従来では、治療中に本体部などに水がこぼれたりすると、その水が開口部などから本体部の内部に浸入し、コイルや電線部などに到達してしまうおそれがあった。
本実施形態における電気治療器１においては、本体部２などに水がこぼれたとしても、防水シート１３により、その水が本体部２の内部に浸入することが規制される。
また、仮に本体部２内に水が浸入したとしても、カバー１０とチューブ１５とが水密に連結され、ケーブル７の外周面とチューブ１５の内周面との間が水密に保持されていることから、カバー１０の中に水が浸入することもない。
【００１７】
以上より、本実施形態における電気治療器１によれば、本体部２内に水が浸入したとしても、水密に連結されたカバー１０、チューブ１５及びケーブル７が設けられていることから、その水がカバー１０及びチューブ１５内に浸入することを防止することができる。
また、防水シート１３が設けられていることから、そもそも本体部２内への水の浸入を防止することができる。
【００１８】
（実施形態２）
次に、本発明の第２の実施形態について説明する。
図３は、本発明の第２の実施形態を示したものである。
図３において、図１及び図２に記載の構成要素と同一部分については同一符号を付し、その説明を省略する。
この実施形態と上記第１の実施形態とは基本的構成は同一であり、ここでは主として異なる点について説明する。
【００１９】
本実施形態においては、チューブ１５ａが、本体部２内のカバー１０から、本体部２に形成された開口部２ａを介して本体部２の外方にかけて延ばされている。
開口部２ａの内部には、円板状の弾性部材１２が設けられている。弾性部材１２は、防水シート１３に水密に連結されている。また、弾性部材１２は、防水部材からなっており、その中央に円形開口部１２ａが形成されている。この円形開口部１２ａの径寸法は、チューブ１５ａの外径寸法よりも小さく形成されている。
【００２０】
また、ケーブル７は、チューブ１５ａと、電源側電線部１４ｂを覆う電源側被覆部１８と、これらチューブ１５ａと電源側被覆部１８とを連結する連結被覆部１６と、を備えている。
チューブ１５ａ内には、本体側電線部１４ａが配されている。
そして、チューブ１５ａは、本体部２の外方において、筒状の連結被覆部１６を介して電源側被覆部１８に連結されている。すなわち、チューブ１５ａと連結被覆部１６とが、接着剤によって水密に接続され、電源側被覆部１８と連結被覆部１６とが、接着剤によって水密に接続されている。なお、連結被覆部１６及び電源側被覆部１８は、絶縁部材からなるものである。
【００２１】
次に、このように構成された本実施形態における電気治療器１ａの組み立て手順について説明する。
まず、電極部１１と本体側電線部１４ａとが接続された状態で、互いに水密に連結されたカバー１０及びチューブ１５ａを、本体部２の内部に配置する。そして、本体部２の開口部２ａから本体側電線部１４ａとチューブ１５ａとの先端部を外方に配する。すなわち、弾性部材１２の円形開口部１２ａにチューブ１５ａを通し、チューブ１５ａの先端からチューブ１５ａを引っ張っていく。円形開口部１２ａは、チューブ１５ａが通されることによって弾性変形して拡径し、その復元力により、円形開口部１２ａの縁部がチューブ１５ａの外面に密着する。そして、円形開口部１２ａの縁部は、チューブ１５ａが先端側に引っ張られることにより、本体部２の外方に向けて凸状に撓み、この撓んだ状態で維持される。
【００２２】
それから、連結被覆部１６に電源側被覆部１８を通した状態で、本体側電線部１４ａと電源側電線部１４ｂとを圧着によって接続する。この圧着部分が圧着部１７となる。さらに、電源側被覆部１８が通された連結被覆部１６を本体部２側にスライドさせて、圧着部１７を覆う位置に配する。そして、チューブ１５ａと連結被覆部１６とを接着剤で水密に連結し、同様に電源側被覆部１８と連結被覆部１６とを接着剤で水密に連結する。
それから、ケーブル７の他端のコネクタ２０を電源供給装置３に接続する。
これにより、図３に示す電気治療器１ａが得られる。
【００２３】
以上より、本実施形態における電気治療器１によれば、チューブ１５ａが本体部２の外方に延ばされていることから、本体部２内に浸入した水がカバー１０内に浸入することを防止することができる。
また、弾性部材１２の円形開口部１２ａの縁部が外方に凸のまま維持されることから、本体部２内への水の浸入を効果的に防止することができる。
また、チューブ１５ａと電源側被覆部１８とが、連結被覆部１６を介して水密に連結されていることから、チューブ１５ａ内への水の浸入を効果的に防止することができる。
【００２４】
なお、本実施形態においては、チューブ１５ａと電源側被覆部１８とを連結するとしたが、これに限ることはなく、チューブ１５ａをケーブルの他端まで一体的に延ばしてもよい。すなわち、チューブ１５ａの長さ寸法を大きくし、その他端にコネクタ２０を取り付けてもよい。これにより、水密効果を向上させることができる。
また、弾性部材１２及び防水シート１３を設けるとしたが、これらを設けなくてもよい。弾性部材１２及び防水シート１３を設けなくても、カバー１０及びチューブ１５ａによって、水の浸入を防止することができる。
【００２５】
また、上記第１及び第２の実施形態においては、電気式マットを電気治療器１に適用した例を示したが、これに限ることはなく、適宜変更可能である。例えば、利用者に温熱効果を与える温熱マットや、温熱と治療の両機能を備えるマットであってもよい。
また、電源供給装置３を設けるとしたが、これに限ることはなく、電源部４として商用電源を利用してもよい。すなわち、ケーブル７の他端側を、コンセントに差し込むためのプラグにしてもよい。
また、カバー１０とチューブ１５，１５ａを水密に連結するとしたが、これに限ることはなく、それらカバー１０とチューブ１５，１５ａとを一体部品として一体的に形成してもよい。これにより、水密効果を向上させることができる。
なお、本発明の技術範囲は上記の実施形態に限定されるものではなく、本発明の趣旨を逸脱しない範囲において、種々の変更を加えることが可能である。
【図面の簡単な説明】
【００２６】
【図１】本発明に係る電気式マットの第１の実施形態を示す全体構成図である。
【図２】電気式マットの連結の様子を側面から示す説明図である。
【図３】本発明に係る電気式マットの第２の実施形態を示す図であって、電気式マットの連結の様子を側面から示す説明図である。
【符号の説明】
【００２７】
１    電気式マット（電気治療器）
２    本体部
４    電源部
１０  カバー（絶縁カバー）
１１  電極部
１４ａ  本体側電線部（電線部）
１４ｂ  電源側電線部（電線部）
１５，１５ａ  チューブ（絶縁チューブ）
２０  コネクタ（接続部）
【図１】
2009131516.tif 000003
【図２】
2009131516.tif 000004
【図３】
2009131516.tif 000005